【手続補正書】
【提出日】平成15年2月4日(2003.2.4)
【手続補正１】
【補正対象書類名】明細書
【補正対象項目名】特許請求の範囲
【補正方法】変更
【補正の内容】
【特許請求の範囲】
【請求項１】
以下の配列を含んでなる配列を有する、核酸分子：
（１）以下の配列から選択される、ケモカイン、神経ペプチド前駆体または少なくとも一つの神経ペプチドをコードする核酸配列：
（ａ）配列番号１で表される核酸配列、
（ｂ）配列番号２で表されるアミノ酸配列を有するポリペプチドをコードする核酸配列、
（ｃ）前記（ａ）に示される配列に対して少なくとも８０％の同一性を有する核酸配列、および
（ｄ）前記（ａ）に示される配列のもう一方の鎖とハイブリダイズする、もしくは遺伝コードの縮重を考慮した上でハイブリダイズするものとされる配列；または
（２）前記（ａ）〜（ｄ）に示される核酸配列の一つと相補的な配列。
【請求項２】
前記（１）（ｃ）に示される核酸配列が少なくとも９０％の同一性を有するものである、請求項１に記載の核酸分子。
【請求項３】
前記（１）（ｃ）に示される核酸配列が少なくとも９５％の同一性を有するものである、請求項１に記載の核酸分子。
【請求項４】
配列番号３で表される核酸配列を含んでなる、請求項１に記載の核酸分子。
【請求項５】
配列番号４で表されるアミノ酸配列を有するポリペプチドをコードする核酸配列を含んでなる、請求項１に記載の核酸分子。
【請求項６】
発現に好適なプロモーターをさらに含んでなり、コード核酸配列が該プロモーターの制御下にある、請求項１〜５のいずれか一項に記載の核酸分子。
【請求項７】
宿主細胞内での核酸分子の複製および／または宿主細胞ゲノムへの核酸分子の組込みを可能とするベクターの配列をさらに含んでなる、請求項１〜６のいずれか一項に記載の核酸分子。
【請求項８】
請求項１〜７のいずれか一項に記載の核酸分子を含有し、該核酸分子の発現に好適な原核または真核細胞である、宿主細胞。
【請求項９】
原核宿主細胞が大腸菌である、請求項８に記載の宿主細胞。
【請求項１０】
真核宿主細胞が真菌、昆虫または哺乳類細胞である、請求項８に記載の宿主細胞。
【請求項１１】
酵母サッカロミセス・セレビシエ、メチロトローフ酵母ハンセニューラ・ポリモルファ、二形性酵母アルクスラ・アデニニボランスまたは糸状菌ソルダリア・マクロスポラである、請求項１０に記載の宿主細胞。
【請求項１２】
ＣＨＯ細胞、ＣＯＳ細胞またはＨｅＬａ細胞である、請求項１０に記載の宿主細胞。
【請求項１３】
以下の配列から選択されるアミノ酸配列を含んでなる、ポリペプチド分子：
（ｉ）配列番号５で表されるアミノ酸配列、および／または配列番号５、配列番号６、配列番号８、配列番号９および配列番号１０のアミノ酸配列の２以上の組合せ、を含むアミノ酸配列、
（ｉｉ）配列番号４で表されるアミノ酸配列、
（ｉｉｉ）配列番号４の第２０アミノ酸〜第１１９アミノ酸の配列に相当するアミノ酸配列、
（ｉｖ）配列番号２２で表されるアミノ酸配列、
（ｖ）前記（ｉ）、（ｉｉ）、（ｉｉｉ）または（ｉｖ）に示される配列に対して少なくとも８５％の同一性を有するアミノ酸配列、
（ｖｉ）配列番号６で表される配列、またはこれに対して少なくとも８５％の同一性を有する配列、を含むアミノ酸配列（ただし、下記のアミノ酸配列：
【化１】
2004521607.tif 000001
2004521607.tif 000002
2004521607.tif 000003
を除く）、
（ｖｉｉ）配列番号７で表される配列、もしくはこの配列と配列番号５、配列番号６、配列番号８、配列番号９および配列番号１０のアミノ酸配列の１以上との組合せで表される配列、または配列番号７で表される配列、もしくはこの配列と配列番号５、配列番号６、配列番号８、配列番号９および配列番号１０のアミノ酸配列の１以上との組合せで表される配列に対して少なくとも９５％の同一性を有する配列、を含むアミノ酸配列、
（ｖｉｉｉ）配列番号８で表される配列またはこれに対して少なくとも８５％の同一性を有する配列を含んでなるアミノ酸配列（ただし、アミノ酸配列：
【化２】
2004521607.tif 000004
2004521607.tif 000005
およびアミノ酸配列：
【化３】
2004521607.tif 000006
2004521607.tif 000007
2004521607.tif 000008
を除く）、
（ｉｘ）配列番号９で表される配列またはこれに対して少なくとも９０％の同一性を有する配列を含んでなるアミノ酸配列、
（ｘ）配列番号１０で表される配列を含むアミノ酸配列（ただし、以下のアミノ酸配列：
【化４】
2004521607.tif 000009
2004521607.tif 000010
2004521607.tif 000011
2004521607.tif 000012
2004521607.tif 000013
2004521607.tif 000014
2004521607.tif 000015
を除く）。
【請求項１４】
前記（ｖ）に示される配列が少なくとも９０％の同一性を有するものである、請求項１３に記載のポリペプチド分子。
【請求項１５】
前記（ｖ）に示される配列が少なくとも９５％の同一性を有するものである、請求項１３に記載のポリペプチド分子。
【請求項１６】
配列番号１２または配列番号１３で表されるアミノ酸配列を含むものである、請求項１３に記載のポリペプチド分子。
【請求項１７】
少なくとも一つの神経ペプチドを含む、請求項１３〜１６のいずれか一項に記載のポリペプチド分子の断片。
【請求項１８】
配列番号５、配列番号６、配列番号７、配列番号８、配列番号９および／または配列番号１０で表されるアミノ酸配列の少なくとも一つを含んでなる、請求項１７に記載の断片。
【請求項１９】
請求項１３〜１８のいずれか一項に記載のポリペプチド分子および／またはその断片の製造方法であって、発現および実行する可能性のあるプロセッシングに好適な条件下で請求項８〜１２のいずれか一項に記載の宿主細胞を培養すること、ならびに、所望により、発現したポリペプチド分子または断片を精製することを含んでなる、方法。
【請求項２０】
請求項１３〜１８のいずれか一項に記載のポリペプチド分子および／またはその断片に特異的な抗体。
【請求項２１】
生物試料中の請求項１３〜１８のいずれか一項に記載のポリペプチド分子および／またはその断片をｉｎ ｖｉｔｒｏで検出する方法であって、前記ポリペプチド分子および／または断片に特異的な試薬を前記試料に接触させ、これらの結合を検出することを含んでなる、方法。
【請求項２２】
請求項１３〜１８のいずれか一項に記載のポリペプチドおよび／またはその断片を検出するためのテストキットであって、前記ポリペプチドおよび／または断片に特異的な少なくとも一種の試薬を含んでなる、テストキット。
【請求項２３】
請求項２０に記載の、前記ポリペプチド分子および／または断片に特異的な少なくとも一種の抗体を含む、請求項２２に記載のテストキット。
【請求項２４】
生物試料中の請求項１３〜１６のいずれか一項に記載のポリペプチド分子をコードする核酸をｉｎ ｖｉｔｒｏで検出する方法であって、
前記試料に、検出可能な標識を有する請求項１〜５のいずれか一項に記載の核酸分子および／またはその断片を接触させる工程、ならびに
前記標識を検出する工程
を含んでなる、方法。
【請求項２５】
請求項１３〜１８のいずれか一項に記載の少なくとも一種のポリペプチド分子および／もしくはその断片、ならびに／または前記分子または前記断片の医薬上適合する塩を含有する、医薬組成物。
【請求項２６】
少なくとも一種の抗体をさらに含有する、請求項２５に記載の医薬組成物。
【請求項２７】
脱髄性疾患もしくは神経変性疾患、または神経系の発達障害の治療に用いるための、請求項２５または２６に記載の医薬組成物。
【請求項２８】
ヒトにおけるＨＩＶ感染症、特にＨＩＶ脳症の予防または治療に用いるための、請求項２５または２６に記載の医薬組成物。
【請求項２９】
造血系、免疫系および心血管系の疾患の治療に用いるための、請求項２５または２６に記載の医薬組成物。
【請求項３０】
請求項１３〜１８のいずれか一項に記載のポリペプチド分子および／またはその断片に特異的な少なくとも一種の試薬を含有する、医薬組成物。
【請求項３１】
前記試薬が抗体である、請求項３０に記載の医薬組成物。
【請求項３２】
請求項１〜７のいずれか一項に記載の少なくとも一種の核酸分子を含有する、医薬組成物。
【請求項３３】
脱髄性疾患もしくは神経変性疾患、または神経系の発達障害の診断または治療に用いるための、請求項３０〜３２のいずれか一項に記載の医薬組成物。
【請求項３４】
ヒトにおけるＨＩＶ感染症、特にＨＩＶ脳症の診断または治療に用いるための、請求項３０〜３２のいずれか一項に記載の医薬組成物。